(57)【要約】【課題】従来の太陽エネルギー利用装置では、並列に水の流れる分岐管路の１つに気泡が混入するとその気泡が栓となって詰まり水が流れなくなってしまい、分岐管路は並列にならべて流路を構成されているため水は気泡の詰まっていない分岐管路を流れ、詰まった分岐管路には圧力が加わって気泡が押し流されることも無く気泡が詰まった状態が維持されてしまう。【解決手段】連結管路１４は連結し水を流す管路の順序組合せを変更し、集熱部９内部の流路構成を並列な流路を有し圧力損失の小さい並列構成と並列な流路を有さず流路内の気泡除去が可能な直列構成の切り替えができる構成とすることにより、直列構成とすることで気泡に対して送水の圧力全体を加えて気泡押し流すことができ、並列構成とすることで流路全体の圧力損失が低下させ容易に水を流すことができる。【選択図】図１
2012225597.tif 000002
【特許請求の範囲】
【請求項１】
地面に固定される蓄熱部と、太陽エネルギーから熱を取り出し内部の水を温める複数の集熱部と、前記集熱部の内部に設けられる複数の分岐管路と、前記集熱部の内部に水を導入する入口管路と、前記集熱部の外部に水を放出する出口管路と、前記入口管路および前記出口管路および前記分岐管路を互いに連結する連結管路と、前記入口管路及び前記出口管路に設けられ異なる前記集熱部同士を接続する接続部と、前記蓄熱部と前記集熱部の間に設けられ前記蓄熱部から前記集熱部へと水を送ると同時に前記集熱部から前記蓄熱部へと温められた水を戻す循環部と、給水源と前記蓄熱部を接続し前記蓄熱部に水を供給する給水部と、前記蓄熱部の水を熱利用機器へと送る出水部とを備え、
前記連結管路は連結し水を流す管路の順序組合せを変更し、前記集熱部内部の流路構成を並列な流路を有し圧力損失の小さい並列構成と並列な流路を有さず流路内の気泡除去が可能な直列構成の切り替えができる構成とした太陽エネルギー利用装置。
【請求項２】
連結管路は、分岐管路が並列に連結された並列構成と全ての分岐管路が直列に連結された直列構成を切り替えるよう動作する構成とした請求項１に記載の太陽エネルギー利用装置。
【請求項３】
連結管路は、複数の集熱部のうち１つの集熱部の流路構成のみ直列構成とし、その他の集熱部の流路構成は並列構成とするよう動作する構成とした請求項１に記載の太陽エネルギー利用装置。
【請求項４】
連結管路は、太陽エネルギー利用装置が動作を開始した直後から一定時間流路を直列構成とするよう動作する構成とした請求項１に記載の太陽エネルギー利用装置。
【請求項５】
連結管路は、分岐管路が並列に連結された並列構成と複数の分岐管路のうちいずれか１つの分岐管路を選択して水を流す直列構成を切り替えるよう動作する構成とした請求項１に記載の太陽エネルギー利用装置。
【請求項６】
循環部は集熱部の流路内の気泡を検知する気泡検知手段を有し、連結管路は気泡検知手段の検知に基づいて動作する構成とした請求項１に記載の太陽エネルギー利用装置。
【請求項７】
気泡検知手段は、循環部に設けられ集熱部に水を送るための水圧と流量を検知し検知結果に基づいて気泡の有無を判断する構成とした請求項６に記載の太陽エネルギー利用装置。
【発明の詳細な説明】
【技術分野】
【０００１】
本発明は、太陽エネルギーを受けて熱を得る太陽エネルギー利用装置に関するものである。
【背景技術】
【０００２】
従来、この種の太陽エネルギー利用装置としては、太陽エネルギーから熱を取り出し内部の水を温める集熱部の内部に設けられる流路を並列に水が流れる部分を有する並列構成としているものがあった（例えば特許文献１参照）。
【０００３】
また、集熱部を複数連続して接続し、複数の集熱部を通じて水を流す構成としていりものがあった（例えば特許文献２参照）。
【０００４】
図６は、特許文献１に記載された従来の太陽エネルギー利用装置を示すものである。図６に示すように、太陽エネルギーを熱として取り出し内部の水を温める集熱部１と、集熱部１の内部に設けられる複数の分岐管路２と、集熱部１の内部に水を導入する入口管路３と、集熱部１の外部に水を放出する出口管路４と、入口管路３および出口管路４および分岐管路２を互いに連結し入口管路３から入った水を分岐管路２に並列に流し出口管路４から外部へ放出するよう流路を構成している連結管路５から構成されている。
【０００５】
図７は、特許文献２に記載された従来の太陽エネルギー利用装置を示すものである。図７に示すように、太陽エネルギー利用装置は蓄熱部６と、複数の集熱部１と、蓄熱部６及び複数の集熱部１を互いに連結する接続部７から構成されている。
【先行技術文献】
【特許文献】
【０００６】
【特許文献１】実開昭５８−１８６３５５号公報
【特許文献２】特開平８−２７８０６０号公報
【発明の概要】
【発明が解決しようとする課題】
【０００７】
しかしながら、従来の太陽エネルギー利用装置では、並列に水の流れる分岐管路の１つに気泡が混入するとその気泡が栓となって詰まり水が流れなってしまい、分岐管路は並列にならべて流路を構成されているため水は気泡の詰まっていない分岐管路を流れ、詰まった分岐管路には圧力が加わって気泡が押し流されることも無く気泡が詰まった状態が維持されてしまうという課題を有していた。
【０００８】
また、気泡は浮力などによって自然に移動しようとするが、集熱部が複数連続して接続された場合には流路全体が長く複雑になるため、気泡が浮力などによってわずかに移動しても気泡が取り除かれることが無いという課題を有していた。
【０００９】
本発明は、上記従来の課題を解決するもので、集熱部の内部に設けられた管路に詰まった気泡を除去可能な構成とし、気泡を除去した状態でそれぞれ並列構成の流路を有する集熱部を複数経由して水を流すようにすることで、より多くの太陽エネルギーを利用可能にすることを目的とする。
【課題を解決するための手段】
【００１０】
前記従来の課題を解決するために、本発明の太陽エネルギー利用装置は互いに連結し水
を流す管路の順序組合せを変更し、集熱部内部の流路構成を並列な流路を有する並列構成と並列な流路を有さない直列構成の切り替えができる構成としたものである。
【００１１】
集熱部内部の流路構成を並列な流路を有さない直列構成とした場合には、管路に気泡が詰まっても気泡に対して送水の圧力全体が加わるため気泡が押し流される。集熱部内部の流路構成を並列な流路を有さない直列構成とした場合には、流路全体の圧力損失が低下し容易に水を流すことができる。
【００１２】
集熱部内部の流路構成を並列構成と直列構成の切り替えができる構成とすることで、気泡によって水の流れない管路が発生することが無く、切り替えにより低い圧力損失で水を流すことができる。
【発明の効果】
【００１３】
本発明の太陽エネルギー利用装置は、水の流れない管路が発生することが無く、集熱部の全体において太陽エネルギーによって水を温めることができる。また圧力損失が低いためより少ないエネルギーで水を流すことができ、太陽エネルギー利用装置全体としてより多くのエネルギーを利用することができる。
【図面の簡単な説明】
【００１４】
【図１】本発明の実施の形態１における太陽エネルギー利用装置の概略図
【図２】本発明の実施の形態１における集熱部の概略構成図
【図３】本発明の実施の形態１における太陽エネルギー利用装置の流路構成図
【図４】本発明の実施の形態２における集熱部の概略構成図
【図５】本発明の実施の形態２における太陽エネルギー利用装置の流路構成図
【図６】従来の太陽エネルギー利用装置の斜視図
【図７】従来の太陽エネルギー利用装置の斜視図
【発明を実施するための形態】
【００１５】
第１の発明は、地面に固定される蓄熱部と、太陽エネルギーから熱を取り出し内部の水を温める複数の集熱部と、前記集熱部の内部に設けられる複数の分岐管路と、前記集熱部の内部に水を導入する入口管路と、前記集熱部の外部に水を放出する出口管路と、前記入口管路および前記出口管路および前記分岐管路を互いに連結する連結管路と、前記入口管路及び前記出口管路に設けられ異なる前記集熱部同士を接続する接続部と、前記蓄熱部と前記集熱部の間に設けられ前記蓄熱部から前記集熱部へと水を送ると同時に前記集熱部から前記蓄熱部へと温められた水を戻す循環部と、給水源と前記蓄熱部を接続し前記蓄熱部に水を供給する給水部と、前記蓄熱部の水を熱利用機器へと送る出水部から構成されており、前記連結管路は連結し水を流す管路の順序組合せを変更し、前記集熱部内部の流路構成を並列な流路を有し圧力損失の小さい並列構成と並列な流路を有さず流路内の気泡除去が可能な直列構成の切り替えができる構成とすることにより、直列構成とすることで気泡に対して送水の圧力全体が加わえて気泡が押し流し、並列構成とすることで流路全体の圧力損失が低下し容易に水を流すことができる。集熱部内部の流路構成を並列構成と直列構成の切り替えることで、気泡によって水の流れない管路が発生することが無く、同時に低い圧力損失で水を流すことができる。集熱部内部の流路構成を並列構成と直列構成の切り替えることで、気泡によって水の流れない管路が発生することが無く、同時に低い圧力損失で水を流すことができる。
【００１６】
第２の発明は、特に第１の発明の連結管路を、分岐管路が並列に連結された並列構成と全ての分岐管路が直列に連結された直列構成を切り替えるよう動作する構成とすることにより、全ての分岐管路が直列に連結された直列構成に切り替えることで一度に全ての分岐管路から気泡を除去することができる。
【００１７】
第３の発明は、特に第１の発明の連結管路を、複数の集熱部のうち１つの集熱部の流路構成のみ直列構成とし、その他の集熱部の流路構成は並列構成とするよう動作する構成とすることにより、複数の集熱部を接続した流路全体のうち一部のみ直列構成となるため、流路全体が直列構成になった場合に比べて圧力損失が小さい状態で気泡の除去を行うことができる。
【００１８】
第４の発明は、特に第１の発明の連結管路を、太陽エネルギー利用装置が動作を開始した直後から一定時間流路を直列構成とするよう動作する構成としたことにより、太陽エネルギー利用装置の動作開始時は太陽エネルギー利用装置の停止中に流路内の水が自然と流れ出たりすることで最も気泡が多い状態であるため、気泡が最も多く水が流れにくい状態をすばやく確実に解消することができる。
【００１９】
第５の発明は、特に第１の発明の連結配管を、分岐管路が並列に連結された並列構成と複数の分岐管路のうちいずれか１つの分岐管路を選択して水を流す直列構成を切り替えるよう動作する構成とすることにより、複数の分岐管路のうちいずれか１つの分岐管路を選択して水を流す直列構成は全ての分岐管路を直列に連結させた直列構成に比べ圧力損失が小さいため、より水を流しやすく気泡の除去を容易に行うことができる。
【００２０】
第６の発明は、特に第１の発明の循環部は集熱部の流路内の気泡を検知する気泡検知手段を有し、連結管路は、気泡検知手段の検知に基づいて動作する構成とすることにより流路内の気泡を確実に除去することができる。
【００２１】
第７の発明は、特に第６の発明の気泡検知手段を、循環部に設けられ集熱部に水を送るための水圧と流量を検知し検知結果に基づいて気泡の有無を判断する構成とすることにより、流路のどこに気泡が混入しても気泡によって流路全体の圧力損失が変化するため確実に気泡の存在を検知することができる。
【００２２】
以下、本発明の実施の形態について、図面を参照しながら説明する。なお、本実施の形態によって本発明が限定されるものではない。
【００２３】
（実施の形態１）
図１は、本発明の実施の形態１における太陽エネルギー利用装置の概略図を示すものである。
【００２４】
図１において、太陽エネルギー利用装置は、内部に温められた水を蓄えることで熱を蓄える蓄熱部８を有しており、太陽エネルギーから熱を取り出して内部の水を温める集熱部９を複数有している。また蓄熱部８から集熱部９へと水を送るとともに、逆に集熱部９で温められた水を蓄熱部８へと戻す循環部１０が設けられている。蓄熱部８は地面に固定されており、その上方に循環部１０が設けられ、その循環部１０のさらに上方には集熱部９が鉛直方向に並べて配置されている。集熱部９のうち最も上方に配置された集熱部９と循環部１０が接続されており、循環部１０から集熱部９に水が流されている。
【００２５】
集熱部９の内部にはそれぞれ複数の分岐管路１１が設けられている。また、集熱部９の内部には集熱部９の内部に水を導入する入口管路１２と水を放出する出口管路１３が設けられている。さらに分岐管路１１と入口管路１２と出口管路１３を連結する連結管路１４が設けられている。入口管路１２と出口管路１３はそれぞれ接続部１５を有しており、隣あって並べられた集熱部９の入口管路１２と出口管路１３が接続部１５によって連結されている。
【００２６】
蓄熱部８には給水源（図示せず）と接続され蓄熱部８の内部に水を供給する給水部１６が接続されている。さらに蓄熱部８には蓄熱部８の水を熱利用機器（図示せず）へと送る出水部１７が設けられている。
【００２７】
図２は、本発明の実施の形態１における集熱部の概略構成図を示すものである。
【００２８】
入口管路１２と出口管路１３と分岐管路１１は連結管路１４によって連結されている。分岐管路１１は鉛直方向に並べて配置されており分岐管路１１の上端側は連結管路１４によって入口管路１２に接続されている。また下端側は出口管路１３に接続されている。
【００２９】
分岐管路１１はそれぞれが入口管路１２や出口管路１３に直接接続される構造ではなく、並べて配置された隣り合う分岐管路１１同士が連結管路１４によって接続され最終的に一番端の分岐管路１１が入口管路１２または出口管路１３に接続される構造となっている。
【００３０】
入口管路１２と出口管路１３に接続される分岐管路１１は異なっている。並べて配置された分岐管路１１のうちどちらか一方の端の分岐管路１１が入口管路１２に接続された場合、出口管路１３に接続される分岐管路１１は入口管路１２に接続された分岐管路１１とは逆の端の分岐管路１１である。
【００３１】
分岐管路１１同士をつなぐ連結管路１４には隣り合う分岐管路１１との間に切替手段１８がそれぞれ設けられている。切替手段１８はバルブ構造となっており、配置された部分の連結管路１４に水を流すか流れないか切り替えることができる。
【００３２】
連結管路１４は切替手段１８を動作させ部分的に水を流さないようにしており、それによって流路構成は分岐のない直列構成となっている。また、分岐がない流路構造である一方で一筆書きのようにすべての分岐管路１１が直列に接続され水が流れる構造となっている。並べて配置された分岐管路１１のうち入口管路１２と接続された分岐管路１１から始まり上から下へと水が流れたのち、隣の分岐管路１１では下から上へと水が流れさらに隣の分岐管路１１内では上から下へと水が流れる構成となっている。最終的に残るもう一方の端の出口管路１３と接続された分岐管路１１では上から下へと水が流れ出口管路１３へと水が流れる構成となっている。
【００３３】
図３は、本発明の実施の形態１における太陽エネルギー利用装置の流路構成図を示すものである。
【００３４】
図３において、太陽エネルギー利用装置は、複数の集熱部９を有しているが、その集熱部９によって内部の流路構成が異なっている。最も上部にある集熱部９では流路構成が直列構成となっており、その他の集熱部９では並列構成となっている。
【００３５】
以上のように構成された太陽エネルギー利用装置について、以下その動作、作用を説明する。
【００３６】
太陽エネルギー利用装置が設置された際、装置内には水は存在しておらず、すべての流路には空気が入った状態となっている。また、一旦太陽エネルギー利用装置が動作されるとその動作中においては装置の内部は水で満たされるが停止後は、重力などによって徐々に水が流れ出したり、わずかな隙間から空気が混入したりすることで装置内部に空気が入り込んだ状態となる。したがって太陽エネルギー利用装置が動作される際には、装置内部に多くの気泡が混入した状態となっている。
【００３７】
このような状態において太陽エネルギー利用装置が起動されると、給水部１６は蓄熱部８へと水を蓄える。続けて、蓄熱部８に蓄えられた水は循環部１０によって集熱部９へと送られる。
【００３８】
この時、連結管路１４は循環部１０による送水開始の時点から切替手段１８を動作させ流路構成を切り替え始める。集熱部９のうち最も上方に配置され、全体の中で最上流に位置する集熱部９の流路構成を直列構成とし、その他の集熱部９の流路構成を並列構成とするよう動作する。
【００３９】
最上流に位置し直列構成とする集熱部９では切替手段１８の一部が水を流さないよう動作することで、分岐管路１１のすべてを通過しつつ入口管路１２から出口管路１３へ一筆書きで繋がるように流路が構成される。
【００４０】
循環部１０から送水された水は最上流の集熱部９に入り、直列構成の流路内を流れていく。途中に気泡が存在し栓のように分岐管路１１をふさいでいた場合も、直列構成の流路内では送水の圧力がその気泡にすべて加わるためその気泡を押し流すことができる。
【００４１】
最上流に配置された集熱部９以外の集熱部９では内部が並列構成となっている。連結管路１４は切替手段１８のバルブをすべて開放している。並列構成であるため、最上流の集熱部から流れてきた水は少ない圧力損失で内部を流れることができる。
【００４２】
しかし、集熱部９の内部に元々混入していた気泡や、上流の集熱部９から押し流されてきた気泡の一部は分岐管路１１に栓のように詰まってしまう。気泡の詰まった分岐管路１１には水が流れないが、それでも他に複数の分岐管路１１が並列に水を流しているため、全体として直列構成に比べて圧力損失は低い。また、複数の分岐管路１１が並列に水を流しているため空気の詰まった分岐管路１１に圧力が加わることがなく、気泡は取り除かれずに残る。
【００４３】
集熱部９の内部を流れるうちに水は太陽エネルギーによって温められる。全ての集熱部９を経由した水は循環部１０へと流れ蓄熱部８へと戻る。
【００４４】
続けて、一定時間経過後に再び集熱部９は連結管路１４を動作し流路を切り替える。循環部１０動作時に直列構成をとっていた最上流の集熱部９を並列構成とし、それに続けて接続されている２番目の集熱部９の流路構成を直列構成とする。また、その他の集熱部９は続けて並列構造を維持する。
【００４５】
最上流の集熱部９では、すでに気泡が除去されているため並列構成とすることで少ない圧力損失で分岐管路１１全体に確実に水を流すことができる。また２番目の集熱部９では、直列構成であるため元々混入していた気泡と最上流の集熱部９から押し流されてきた気泡をまとめて次の集熱部９へと押し流すことができる。
【００４６】
さらに続けて、集熱部９は一定時間ごとに流路構成を切り替えていく。直列構成とする集熱部９を上流側から順番にずらしていくことで太陽エネルギー利用装置全体から気泡を除去することができる。
【００４７】
すべての集熱部９から気泡が除去されると、連結管路１４はすべての切替手段１８を開放し、すべての集熱部９の流路構成を並列構成とする。すべての集熱部９を並列構成とすることで全体の圧力損失は最も低くなり容易に水を流すことができる。結果として容易に水を温め熱を蓄えることができる。
【００４８】
また、循環部１０から集熱部９へと水を流し水を温めるのと同時に、利用者が熱利用機器を動作させる。熱利用機器を動作させるとその需要に応じて、出水部１７を通じ蓄熱部８から熱利用機器へと水が流される。給水部１６は出水部１７から流された水の量に合わせて蓄熱部８へと水を流す。
【００４９】
蓄熱部８に十分な熱が蓄えられると、太陽エネルギー利用装置は停止し循環部１０から集熱部９への送水も止まる。太陽エネルギー利用装置の停止後に蓄熱部８に蓄えられた水が使用されたり、自然に放熱して水が冷えたりすると太陽エネルギー利用装置は再び動作する。
【００５０】
太陽エネルギー利用装置の停止中に集熱部９の流路には気泡が混入するため、太陽エネルギー利用装置が動作され循環部１０が動作を開始した時間に基づいて再び流路を切り替えて気泡を除去し動作を継続する。
【００５１】
（実施の形態２）
図４は、本発明の実施の形態２における太陽エネルギー利用装置の集熱部の概略構成図を示すものである。
【００５２】
図４において、集熱部９の内部には、入口管路１２と出口管路１３と複数の分岐管路１１が設けられており連結管路１４によって連結されている。分岐管路１１は鉛直方向に並べて配置されており分岐管路１１の上端側は連結管路１４によって入口管路１２に接続されている。また下端側は出口管路１３に接続されている。分岐管路１１はそれぞれが入口管路１２や出口管路１３に直接接続される構造ではなく、並べて配置された隣り合う分岐管路１１同士が連結管路１４によって接続され最終的に一番端の分岐管路１１が入口管路１２または出口管路１３に接続される構造となっている。
【００５３】
入口管路１２と出口管路１３に接続される分岐管路１１は異なっている。並べて配置された分岐管路１１のうちどちらか一方の端の分岐管路１１が入口管路１２に接続された場合、出口管路１３に接続される分岐管路１１は入口管路１２に接続された分岐管路１１とは逆の端の分岐管路１１である。
【００５４】
分岐管路１１同士をつなぐ連結管路１４には隣り合う分岐管路１１との間に切替手段１８がそれぞれ設けられている。切替手段１８はバルブ構造となっており、配置された部分の連結管路１４に水を流すか流れないか切り替えることができる。また入口管路１２と分岐管路１１との間の連結管路１４にも切替手段１８が設けられている。
【００５５】
分岐管路１１は切替手段１８を動作させ部分的に水を流さないようにしており、それによって流路構成は分岐のない直列構成となっている。直列構成は複数ある分岐管路１１のうち１つにのみ水を流す構成となっている。入口管路１２から入った水は連結管路１４を２つ経由した後に分岐管路１１の一つを上から下に流れ、その後異なる連結管路１４を経由し出口管路１３へと流れる構成となっている。
【００５６】
図５は、本発明の実施の形態２における太陽エネルギー利用装置の流路構成図を示すものである。
【００５７】
図５において、太陽エネルギー利用装置は、複数の集熱部９を有しているが、その集熱部９によって内部の流路構成が異なっている。最も上部にある集熱部９では流路構成が直列構成となっており、その他の集熱部９では並列構成となっている。
【００５８】
循環部１０には気泡検知手段１９が設けられている。気泡検知手段１９は循環部１０に
おいて集熱部９へ送水を行うために加えられる水圧と循環部１０によって流される流量を検知する構成となっている。あらかじめ気泡が詰まっていない状態での圧力損失を調べておくことで圧力と流量の関係式を調べておき、圧力に比べて流量が少ない場合には気泡によって流れが阻害されていると判断でき気泡が存在することが分かる構成となっている。
【００５９】
以上のように構成された太陽エネルギー利用装置について、以下その動作、作用を説明する。
【００６０】
太陽エネルギー利用装置が動作される際には、装置内部に多くの気泡が混入した状態となっている。太陽エネルギー利用装置が起動されると、給水部１６は蓄熱部８へと水を蓄える。続けて、蓄熱部８に蓄えられた水は循環部１０によって集熱部９へと送られる。
【００６１】
この時、連結管路１４は循環部１０による送水開始の時点から切替手段１８を動作させ流路構成を切り替え始める。集熱部９のうち最も上方に配置され、全体の中で最上流に位置する集熱部９の流路構成を直列構成とし、その他の集熱部９の流路構成を並列構成とするよう動作する。
【００６２】
この時、連結管路１４は複数ある分岐管路１１のうち最も入口管路１２に近い分岐管路１１のみに水を通し、連結管路１４を通じて出口管路１３へと水を流す直列構成となっている。
【００６３】
循環部１０から送水された水は最上流の集熱部９に入り、直列構成の流路内を流れていく。途中に気泡が存在し栓のように分岐管路１１をふさいでいた場合も、直列構成の流路内では送水の圧力がその気泡にすべて加わるためその気泡を押し流すことができる。
【００６４】
最上流に配置された集熱部９以外の集熱部９では内部が並列構成となっているため、気泡を除去することはできないが、並列構成となっていることから全体に少ない圧力損失で水が流れる。
【００６５】
集熱部９の内部を流れるうちに水は太陽エネルギーによって温められる。全ての集熱部９を経由した水は循環部１０へと流れ蓄熱部８へと戻る。
【００６６】
続けて気泡検知手段１９は循環部１０によって水にくわえられている加圧量と水量を検知する。あらかじめ気泡が詰まっていない状態での圧力損失を調べておくことで圧力と流量の関係式を調べておき、圧力に比べて流量が少ない場合には気泡によって流れが阻害されているかを判断し気泡が存在する場合には流路構成をそのまま維持する。
【００６７】
直列構成の内部の気泡が押し流されるにつれ、水は流れやすくなり気泡検知手段１９の検出結果は気泡がない場合の状態に近づいていく。しかし、直列構成となっている集熱部９の気泡は取り除かれていくが、並列構成の集熱部９の気泡は除去されないため、圧力と流量の関係は全く気泡がない場合の検知にまで到達する前に変化が止まる。
【００６８】
圧力と流量の関係の変化が止まると気泡検知手段１９は直列構成の気泡は除去され、並列構成部分に泡が残っていると判断する。その判断に基づいて連結管路１４は再び流路を切り替える。
【００６９】
直列構成となっていた最上流の集熱部９では入口管路１２に最も近い分岐管路１１に水を流す構成としていたが、並べて配置された分岐管路１１のうち先ほどまで水の流れていた分岐管路１１の隣の管路に水を流す直列構成に切り替える。
【００７０】
先ほどと同様に気泡検知手段１９によって直列構成となっている集熱部９の内部の気泡が除去されたことを確認すると、さらに続けて水を流す分岐管路１１を順番に変更していく。最終的に集熱部９内すべての気泡が除去されたことが確認されると、最上流の集熱部９全体は切替手段１８をすべて開放し並列構成とし、さらに下流側の集熱部９を直列構成とする。これらを繰り返すことで、太陽エネルギー利用装置全体から気泡を除去する。
【００７１】
作業を順番に繰り返したのち、最終的にすべての気泡が除去されたのかを確認を行う。全ての集熱部９を並列構成として気泡検知手段１９で、循環部１０によって水にくわえられている加圧量と水量を検知する。その検知結果があらかじめ調べた気泡が詰まっていない状態での圧力損失と比較を行う。
【００７２】
気泡が残っていると判断された場合には、再び最上流の集熱部９を直列構成とし順番に気泡を除去する作業を行っていく。逆に気泡が残っていない場合にはそのまま全ての集熱部９を並列構成とし動作を継続する。
【００７３】
上記した実施の形態における構成は、必要に応じて適宜組み合わせて使用することができるものであり、実施の形態そのものの構成に限られるものではない。
【産業上の利用可能性】
【００７４】
以上のように、本発明にかかる太陽エネルギー利用装置は内部に水を流す装置において気泡の混入しやすい装置に適用できる。
【符号の説明】
【００７５】
８  蓄熱部
９  集熱部
１０  循環部
１１  分岐管路
１２  入口管路
１３  出口管路
１４  連結管路
１５  接続部
１６  給水部
１７  出水部
１９  気泡検知手段
【図１】
2012225597.tif 000003
【図２】
2012225597.tif 000004
【図３】
2012225597.tif 000005
【図４】
2012225597.tif 000006
【図５】
2012225597.tif 000007
【図６】
2012225597.tif 000008
【図７】
2012225597.tif 000009